(57)【要約】【課題】混信信号から漏洩信号を除去して所望信号を抽出するキャンセル性能の設計段階において、漏洩信号を擬似的に生成する装置の費用及び場所の確保を容易にするとともに、漏洩信号のキャンセル性能の評価及び漏洩信号のキャンセル品質の確保を容易にする。【解決手段】本発明は、衛星放送信号が周波数下方変換されて生成された、移動体通信網の通信帯域と干渉可能な信号帯域を有する中間周波数信号に対して、振幅、遅延、中心周波数、白色ノイズ、周波数変動及び位相ノイズを調整することにより、衛星放送信号の受信装置で衛星放送信号が周波数下方変換されて漏洩された、移動体通信網の通信帯域と干渉可能な信号帯域を有する漏洩信号を擬似的に生成する擬似的漏洩信号生成装置である。【選択図】図３
2016046560.tif 000002
【特許請求の範囲】
【請求項１】
衛星放送信号が周波数下方変換されて生成された、移動体通信網の通信帯域と干渉可能な信号帯域を有する中間周波数信号に対して、振幅、遅延、中心周波数及び周波数変動を調整することにより、前記衛星放送信号の受信装置で前記衛星放送信号が周波数下方変換されて漏洩された、前記移動体通信網の通信帯域と干渉可能な信号帯域を有する漏洩信号を擬似的に生成することを特徴とする擬似的漏洩信号生成装置。
【請求項２】
前記中間周波数信号に対して、数式７で定める位相分だけ移相することにより、周波数変動を調整することを特徴とする請求項１に記載の擬似的漏洩信号生成装置。
【数７】
2016046560.tif 000009
ただし、ωは、２π×中心周波数を表し、Ｒａｎｄ＿ｎｏｒｍｆ（ｔ）は、正規分布に従う擬似乱数の時系列を表し、前記正規分布の平均は、０であり、前記正規分布の標準偏差は、前記漏洩信号に付加されると想定される周波数変動に応じて定まる。
【請求項３】
衛星放送信号が周波数下方変換されて生成された、移動体通信網の通信帯域と干渉可能な信号帯域を有する中間周波数信号に対して、振幅、遅延、中心周波数及び位相ノイズを調整することにより、前記衛星放送信号の受信装置で前記衛星放送信号が周波数下方変換されて漏洩された、前記移動体通信網の通信帯域と干渉可能な信号帯域を有する漏洩信号を擬似的に生成することを特徴とする擬似的漏洩信号生成装置。
【請求項４】
前記中間周波数信号に対して、数式８で定める位相分だけ移相することにより、位相ノイズを調整することを特徴とする請求項３に記載の擬似的漏洩信号生成装置。
【数８】
2016046560.tif 000010
ただし、ωは、２π×中心周波数を表し、Ｒａｎｄ＿ｎｏｒｍｐ（ｔ）は、正規分布に従う擬似乱数の時系列を表し、前記正規分布の平均は、０であり、前記正規分布の標準偏差は、前記漏洩信号に付加されると想定される位相ノイズに応じて定まる。
【請求項５】
混信信号から漏洩信号を除去し所望信号を抽出する漏洩信号キャンセラ装置であって、
請求項１から４のいずれかに記載の擬似的漏洩信号生成装置と、
前記移動体通信網の移動端末から送信された所望信号と、前記衛星放送信号の受信装置で前記衛星放送信号が周波数下方変換されて漏洩された、前記移動体通信網の通信帯域と干渉可能な信号帯域を有する漏洩信号と、の混信信号を受信する移動通信受信部と、
前記漏洩信号キャンセラ装置における前記漏洩信号のキャンセル段階では、前記移動通信受信部が受信した前記混信信号と、前記中間周波数信号と、の信号相関を計算し、前記漏洩信号キャンセラ装置におけるキャンセル性能の設計段階では、前記擬似的漏洩信号生成装置が擬似的に生成した前記漏洩信号と、前記中間周波数信号と、の信号相関を計算する信号相関計算部と、
前記漏洩信号キャンセラ装置における前記漏洩信号のキャンセル段階では、前記信号相関計算部が計算した信号相関に基づいて、前記混信信号から前記漏洩信号を除去し前記所望信号を抽出し、前記漏洩信号キャンセラ装置におけるキャンセル性能の設計段階では、前記信号相関計算部が計算した信号相関に基づいて、前記擬似的漏洩信号生成装置が擬似的に生成した前記漏洩信号を除去し除去信号を生成する漏洩信号除去部と、
を備えることを特徴とする漏洩信号キャンセラ装置。
【発明の詳細な説明】
【技術分野】
【０００１】
本発明は、移動体通信網の移動端末から送信された所望信号と、衛星放送信号の受信装置で衛星放送信号が周波数下方変換されて漏洩された、移動体通信網の通信帯域と干渉可能な信号帯域を有する漏洩信号と、の混信を防止する技術に関する。
【背景技術】
【０００２】
干渉測定システムにおいて、移動体通信網の移動端末から送信された所望信号と、衛星放送信号の受信装置で衛星放送信号が周波数下方変換されて漏洩された、移動体通信網の通信帯域（例えば１．５ＧＨｚ帯）と干渉可能な信号帯域（中間周波数帯）を有する漏洩信号と、の混信を防止する技術が、例えば特許文献１に開示されている。
【０００３】
干渉測定システムは、移動体通信網の移動端末から送信された所望信号と、衛星放送信号の受信装置で衛星放送信号が周波数下方変換されて漏洩された、移動体通信網の通信帯域と干渉可能な信号帯域を有する漏洩信号と、の混信信号を受信する。
【０００４】
同時に、干渉測定システムは、衛星放送信号を受信した後に周波数下方変換して、移動体通信網の通信帯域と干渉可能な信号帯域を有する中間周波数信号を生成する。
【０００５】
そして、干渉測定システムは、混信信号と中間周波数信号の信号相関を計算し、混信信号と中間周波数信号の信号相関及び中間周波数信号の所定の信号対雑音比に基づいて、混信信号から漏洩信号を除去して所望信号を抽出する。
【先行技術文献】
【特許文献】
【０００６】
【特許文献１】特開２０１４−０６４１３９号公報
【発明の概要】
【発明が解決しようとする課題】
【０００７】
このように、干渉測定システムは、混信信号と中間周波数信号の信号相関に基づいて、混信信号から漏洩信号を除去して所望信号を抽出する。ここで、干渉測定システムにおける漏洩信号のキャンセル性能の設計段階では、衛星放送信号の受信装置をフィールドに実際に配置することにより、漏洩信号を実際に生成するのではなく、シグナル発生器、ノイズ発生器及びフェージングシミュレータをフィールドに配置することにより、漏洩信号を擬似的に生成することができる。しかし、シグナル発生器、ノイズ発生器及びフェージングシミュレータの費用及び場所の確保が容易ではなく、漏洩信号のキャンセル性能の評価及び漏洩信号のキャンセル品質の確保が容易ではない。
【０００８】
そこで、前記課題を解決するために、本発明は、混信信号から漏洩信号を除去して所望信号を抽出するキャンセル性能の設計段階において、漏洩信号を擬似的に生成する装置の費用及び場所の確保を容易にするとともに、漏洩信号のキャンセル性能の評価及び漏洩信号のキャンセル品質の確保を容易にすることを目的とする。
【課題を解決するための手段】
【０００９】
上記目的を達成するために、中間周波数信号に対して、振幅、遅延、中心周波数及び周波数変動を調整するのみにより、又は、中間周波数信号に対して、振幅、遅延、中心周波数及び位相ノイズを調整するのみにより、漏洩信号を擬似的に生成することとした。
【００１０】
具体的には、本発明は、衛星放送信号が周波数下方変換されて生成された、移動体通信網の通信帯域と干渉可能な信号帯域を有する中間周波数信号に対して、振幅、遅延、中心周波数及び周波数変動を調整することにより、前記衛星放送信号の受信装置で前記衛星放送信号が周波数下方変換されて漏洩された、前記移動体通信網の通信帯域と干渉可能な信号帯域を有する漏洩信号を擬似的に生成することを特徴とする擬似的漏洩信号生成装置である。
【００１１】
この構成によれば、中間周波数信号に対して、振幅、遅延、中心周波数及び周波数変動を調整するのみにより、漏洩信号を擬似的に生成することができる。そして、漏洩信号のキャンセル性能の設計段階において、擬似的漏洩信号生成装置の費用及び場所をより節約しつつ、漏洩信号のキャンセル性能の評価及び漏洩信号のキャンセル品質の確保をより容易にしつつ、漏洩信号を擬似的に生成することができる。
【００１２】
また、本発明は、前記中間周波数信号に対して、数式１で定める位相分だけ移相することにより、周波数変動を調整することを特徴とする擬似的漏洩信号生成装置である。
【数１】
2016046560.tif 000003
ただし、ωは、２π×中心周波数を表し、Ｒａｎｄ＿ｎｏｒｍｆ（ｔ）は、正規分布に従う擬似乱数の時系列を表し、前記正規分布の平均は、０であり、前記正規分布の標準偏差は、前記漏洩信号に付加されると想定される周波数変動に応じて定まる。
【００１３】
この構成によれば、周波数変動の統計的特性を予め想定して、中間周波数信号に対して、周波数変動を調整するのみにより、漏洩信号を擬似的に生成することができる。
【００１４】
また、本発明は、衛星放送信号が周波数下方変換されて生成された、移動体通信網の通信帯域と干渉可能な信号帯域を有する中間周波数信号に対して、振幅、遅延、中心周波数及び位相ノイズを調整することにより、前記衛星放送信号の受信装置で前記衛星放送信号が周波数下方変換されて漏洩された、前記移動体通信網の通信帯域と干渉可能な信号帯域を有する漏洩信号を擬似的に生成することを特徴とする擬似的漏洩信号生成装置である。
【００１５】
この構成によれば、中間周波数信号に対して、振幅、遅延、中心周波数及び位相ノイズを調整するのみにより、漏洩信号を擬似的に生成することができる。そして、漏洩信号のキャンセル性能の設計段階において、擬似的漏洩信号生成装置の費用及び場所をより節約しつつ、漏洩信号のキャンセル性能の評価及び漏洩信号のキャンセル品質の確保をより容易にしつつ、漏洩信号を擬似的に生成することができる。
【００１６】
また、本発明は、前記中間周波数信号に対して、数式２で定める位相分だけ移相することにより、位相ノイズを調整することを特徴とする擬似的漏洩信号生成装置である。
【数２】
2016046560.tif 000004
ただし、ωは、２π×中心周波数を表し、Ｒａｎｄ＿ｎｏｒｍｐ（ｔ）は、正規分布に従う擬似乱数の時系列を表し、前記正規分布の平均は、０であり、前記正規分布の標準偏差は、前記漏洩信号に付加されると想定される位相ノイズに応じて定まる。
【００１７】
この構成によれば、位相ノイズの統計的特性を予め想定して、中間周波数信号に対して、位相ノイズを調整するのみにより、漏洩信号を擬似的に生成することができる。
【００１８】
また、本発明は、混信信号から漏洩信号を除去し所望信号を抽出する漏洩信号キャンセラ装置であって、以上に記載の擬似的漏洩信号生成装置と、前記移動体通信網の移動端末から送信された所望信号と、前記衛星放送信号の受信装置で前記衛星放送信号が周波数下方変換されて漏洩された、前記移動体通信網の通信帯域と干渉可能な信号帯域を有する漏洩信号と、の混信信号を受信する移動通信受信部と、前記漏洩信号キャンセラ装置における前記漏洩信号のキャンセル段階では、前記移動通信受信部が受信した前記混信信号と、前記中間周波数信号と、の信号相関を計算し、前記漏洩信号キャンセラ装置におけるキャンセル性能の設計段階では、前記擬似的漏洩信号生成装置が擬似的に生成した前記漏洩信号と、前記中間周波数信号と、の信号相関を計算する信号相関計算部と、前記漏洩信号キャンセラ装置における前記漏洩信号のキャンセル段階では、前記信号相関計算部が計算した信号相関に基づいて、前記混信信号から前記漏洩信号を除去し前記所望信号を抽出し、前記漏洩信号キャンセラ装置におけるキャンセル性能の設計段階では、前記信号相関計算部が計算した信号相関に基づいて、前記擬似的漏洩信号生成装置が擬似的に生成した前記漏洩信号を除去し除去信号を生成する漏洩信号除去部と、を備えることを特徴とする漏洩信号キャンセラ装置である。
【００１９】
この構成によれば、漏洩信号のキャンセル性能の設計段階において、擬似的漏洩信号生成装置の費用及び場所の確保を容易にするとともに、漏洩信号のキャンセル性能の評価及び漏洩信号のキャンセル品質の確保を容易にすることができる。
【発明の効果】
【００２０】
このように、本発明は、混信信号から漏洩信号を除去して所望信号を抽出するキャンセル性能の設計段階において、漏洩信号を擬似的に生成する装置の費用及び場所の確保を容易にするとともに、漏洩信号のキャンセル性能の評価及び漏洩信号のキャンセル品質の確保を容易にすることができる。
【図面の簡単な説明】
【００２１】
【図１】本発明の第１の漏洩信号キャンセラ装置の構成を示す図である。
【図２】本発明の第２の漏洩信号キャンセラ装置の構成を示す図である。
【図３】本発明の第１の擬似的漏洩信号生成装置の構成を示す図である。
【図４】本発明の第２の擬似的漏洩信号生成装置の構成を示す図である。
【図５】アンテナ振動がない場合の実際の漏洩信号の信号特性を示す図である。
【図６】アンテナ振動がない場合の擬似的漏洩信号の信号特性を示す図である。
【図７】アンテナ振動がある場合の実際の漏洩信号の信号特性を示す図である。
【図８】アンテナ振動がある場合の擬似的漏洩信号の信号特性を示す図である。
【発明を実施するための形態】
【００２２】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００２３】
本発明の第１、２の漏洩信号キャンセラ装置の構成を図１、２に示す。第１の漏洩信号キャンセラ装置Ｃは、移動通信受信部１、信号相関計算部２、漏洩信号除去部３及び擬似的漏洩信号生成装置４から構成される。第２の漏洩信号キャンセラ装置Ｃは、移動通信受信部１、衛星放送受信部５、信号相関計算部２、漏洩信号除去部３及び擬似的漏洩信号生成装置４から構成される。移動通信については、移動体通信網Ｍ中に、移動端末Ｕ１、Ｕ２、・・・、漏洩信号キャンセラ装置Ｃ及び移動体通信網基地局装置Ｂが位置する。衛星放送については、放送衛星Ｓから、受信装置Ｒ１、Ｒ２、・・・及び漏洩信号キャンセラ装置Ｃ（第２の場合）が受信する。キャンセラ設計装置Ｄについては、後述する。
【００２４】
第１、２の場合、移動通信受信部１は、移動体通信網Ｍの移動端末Ｕ１、Ｕ２、・・・から送信された所望信号と、衛星放送信号の受信装置Ｒ１、Ｒ２、・・・で衛星放送信号が周波数下方変換されて漏洩された、移動体通信網Ｍの通信帯域（例えば１．５ＧＨｚ帯）と干渉可能な信号帯域（中間周波数帯）を有する漏洩信号と、の混信信号を受信する。
【００２５】
第２の場合、衛星放送受信部５は、衛星放送信号を受信した後に周波数下方変換して、移動体通信網Ｍの通信帯域と干渉可能な信号帯域を有する中間周波数信号を生成する。
【００２６】
まず、漏洩信号キャンセラ装置Ｃにおける漏洩信号のキャンセル段階について、漏洩信号キャンセラ装置Ｃ中の破線の矢印を用いて説明する。
【００２７】
第１の場合、信号相関計算部２は、移動通信受信部１が受信した混信信号と、擬似的漏洩信号生成装置４が生成した中間周波数信号と、の信号相関を計算する。第２の場合、信号相関計算部２は、移動通信受信部１が受信した混信信号と、衛星放送受信部５が生成した中間周波数信号と、の信号相関を計算する。
【００２８】
第１、２の場合、漏洩信号除去部３は、信号相関計算部２が計算した信号相関に基づいて、混信信号から漏洩信号を除去し所望信号を抽出する。移動体通信網基地局装置Ｂは、漏洩信号除去部３が抽出した所望信号を処理する。
【００２９】
次に、漏洩信号キャンセラ装置Ｃにおけるキャンセル性能の設計段階について、漏洩信号キャンセラ装置Ｃ中の実線の矢印を用いて説明する。
【００３０】
第１の場合、信号相関計算部２は、擬似的漏洩信号生成装置４が擬似的に生成した漏洩信号と、擬似的漏洩信号生成装置４が生成した中間周波数信号と、の信号相関を計算する。第２の場合、信号相関計算部２は、擬似的漏洩信号生成装置４が擬似的に生成した漏洩信号と、衛星放送受信部５が生成した中間周波数信号と、の信号相関を計算する。
【００３１】
第１、２の場合、漏洩信号除去部３は、信号相関計算部２が計算した信号相関に基づいて、擬似的漏洩信号生成装置４が擬似的に生成した漏洩信号を除去し除去信号を生成する。キャンセラ設計装置Ｄは、漏洩信号除去部３が生成した除去信号がどの程度ゼロ信号に近いかを評価し、除去信号の評価結果に基づいて、漏洩信号除去部３が使用するパラメータを設計する。
【００３２】
本発明の第１、２の擬似的漏洩信号生成装置の構成を図３、４に示す。第１の擬似的漏洩信号生成装置４は、中間周波数信号発生部４１ａ、複数の擬似的漏洩信号生成部４２及び擬似的漏洩信号合成部４３から構成される。第２の擬似的漏洩信号生成装置４は、中間周波数信号取得部４１ｂ、複数の擬似的漏洩信号生成部４２及び擬似的漏洩信号合成部４３から構成される。各々の擬似的漏洩信号生成部４２は、振幅調整部４２１、遅延調整部４２２、中心周波数調整部４２３、白色ノイズ調整部４２４、周波数変動調整部４２５、位相ノイズ調整部４２６及び出力ＯＮ／ＯＦＦスイッチ４２７から構成される。
【００３３】
第１の場合、中間周波数信号発生部４１ａは、衛星放送信号が周波数下方変換されて生成された、移動体通信網Ｍの通信帯域と干渉可能な信号帯域を有する中間周波数信号を発生する。つまり、中間周波数信号は、擬似的漏洩信号生成装置４の内部で発生される。
【００３４】
第２の場合、中間周波数信号取得部４１ｂは、衛星放送信号が周波数下方変換されて生成された、移動体通信網Ｍの通信帯域と干渉可能な信号帯域を有する中間周波数信号を取得する。つまり、中間周波数信号は、擬似的漏洩信号生成装置４の外部から受信される。
【００３５】
複数の擬似的漏洩信号生成部４２は、中間周波数信号発生部４１ａが発生した（第１の場合）又は中間周波数信号取得部４１ｂが取得した（第２の場合）中間周波数信号に対して、振幅、遅延、中心周波数、白色ノイズ、周波数変動及び位相ノイズを調整することにより、衛星放送信号の受信装置Ｒ１、Ｒ２、・・・で衛星放送信号が周波数下方変換されて漏洩された、移動体通信網Ｍの通信帯域と干渉可能な信号帯域を有する漏洩信号を擬似的に生成する。ここで、複数の擬似的漏洩信号生成部４２の必要な台数は、衛星放送信号の受信装置Ｒ１、Ｒ２、・・・の配置台数に応じて定められる。
【００３６】
振幅調整部４２１は、中間周波数信号発生部４１ａが発生した（第１の場合）又は中間周波数信号取得部４１ｂが取得した（第２の場合）中間周波数信号に対して、振幅を調整する。ここで、振幅調整部４２１が調整する振幅は、衛星放送信号の受信装置Ｒ１、Ｒ２、・・・の漏洩強度及び配置分布に応じて定められる。
【００３７】
遅延調整部４２２は、中間周波数信号発生部４１ａが発生した（第１の場合）又は中間周波数信号取得部４１ｂが取得した（第２の場合）中間周波数信号に対して、遅延を調整する。ここで、遅延調整部４２２が調整する遅延は、衛星放送信号の受信装置Ｒ１、Ｒ２、・・・の配置分布に応じて定められる。
【００３８】
中心周波数調整部４２３は、中間周波数信号発生部４１ａが発生した（第１の場合）又は中間周波数信号取得部４１ｂが取得した（第２の場合）中間周波数信号に対して、中心周波数を調整する。ここで、中心周波数調整部４２３が調整する中心周波数は、衛星放送信号の受信装置Ｒ１、Ｒ２、・・・の中間周波数帯に応じて定められる。
【００３９】
白色ノイズ調整部４２４は、中間周波数信号発生部４１ａが発生した（第１の場合）又は中間周波数信号取得部４１ｂが取得した（第２の場合）中間周波数信号に対して、数式３で定める振幅分だけ加算することにより、白色ノイズを調整する。
【数３】
2016046560.tif 000005
ここで、白色ノイズとは、ノイズフロア及び量子化ノイズ等である。そして、Ａは、白色ノイズの振幅を表し、中間周波数信号発生部４１ａが発生した（第１の場合）又は中間周波数信号取得部４１ｂが取得した（第２の場合）中間周波数信号と比べて、−５０ｄＢ〜−１０ｄＢの程度のオーダーである。また、Ｒａｎｄ＿ｎｏｒｍｗ１（ｔ）及びＲａｎｄ＿ｎｏｒｍｗ２（ｔ）は、正規分布に従う擬似乱数の時系列を表し、当該正規分布の平均は、０であり、当該正規分布の標準偏差は、１である。
【００４０】
周波数変動調整部４２５は、中間周波数信号発生部４１ａが発生した（第１の場合）又は中間周波数信号取得部４１ｂが取得した（第２の場合）中間周波数信号に対して、数式４で定める位相分だけ移相することにより、周波数変動を調整する。
【数４】
2016046560.tif 000006
ここで、周波数変動とは、環境の緩やかな変化による、狭帯域の周波数ドリフトノイズである。そして、ωは、２π×（中心周波数調整部４２３が調整する中心周波数）を表す。また、Ｒａｎｄ＿ｎｏｒｍｆ（ｔ）は、正規分布に従う擬似乱数の時系列を表し、当該正規分布の平均は、０であり、当該正規分布の標準偏差は、漏洩信号に付加されると想定される周波数変動に応じて定まり、０．０１〜１の程度のオーダーである。
【００４１】
位相ノイズ調整部４２６は、中間周波数信号発生部４１ａが発生した（第１の場合）又は中間周波数信号取得部４１ｂが取得した（第２の場合）中間周波数信号に対して、数式５で定める位相分だけ移相することにより、位相ノイズを調整する。
【数５】
2016046560.tif 000007
ここで、位相ノイズとは、周波数の瞬時の変動による、広帯域の白色の位相ノイズである。そして、ωは、２π×（中心周波数調整部４２３が調整する中心周波数）を表す。また、Ｒａｎｄ＿ｎｏｒｍｐ（ｔ）は、正規分布に従う擬似乱数の時系列を表し、当該正規分布の平均は、０であり、当該正規分布の標準偏差は、漏洩信号に付加されると想定される位相ノイズに応じて定まり、１００００〜５０００００の程度のオーダーである。
【００４２】
各々の擬似的漏洩信号生成部４２が擬似的に生成した各漏洩信号は、数式６で表せる。
【数６】
2016046560.tif 000008
ここで、数式６は、複素形式で表されている。ｎｏｉｓｅ＿ｓｉｇは、振幅、遅延及び中心周波数が調整されるとともに、白色ノイズ、周波数変動及び位相ノイズが付加された中間周波数信号を表す。ＢＳ＿ＲＥＦは、振幅、遅延及び中心周波数が調整される一方で、白色ノイズ、周波数変動及び位相ノイズが付加されない中間周波数信号を表す。
【００４３】
出力ＯＮ／ＯＦＦスイッチ４２７は、擬似的に生成される漏洩信号を出力するかどうかを決定する。ここで、出力ＯＮ／ＯＦＦスイッチ４２７のＯＮ／ＯＦＦは、衛星放送信号の受信装置Ｒ１、Ｒ２、・・・の配置台数に応じて定められる。
【００４４】
擬似的漏洩信号合成部４３は、各々の擬似的漏洩信号生成部４２が擬似的に生成した各漏洩信号を合成して、全漏洩信号を擬似的に生成する。
【００４５】
第１の場合、信号相関計算部２は、擬似的漏洩信号合成部４３が擬似的に生成した全漏洩信号と、中間周波数信号発生部４１ａが生成した中間周波数信号と、の信号相関を計算する。漏洩信号除去部３は、信号相関計算部２が計算した信号相関に基づいて、擬似的漏洩信号合成部４３が擬似的に生成した全漏洩信号を除去し除去信号を生成する。
【００４６】
第２の場合、信号相関計算部２は、擬似的漏洩信号合成部４３が擬似的に生成した全漏洩信号と、衛星放送受信部５が生成した中間周波数信号と、の信号相関を計算する。漏洩信号除去部３は、信号相関計算部２が計算した信号相関に基づいて、擬似的漏洩信号合成部４３が擬似的に生成した全漏洩信号を除去し除去信号を生成する。
【００４７】
実際の漏洩信号及び擬似的漏洩信号の信号特性を図５〜８に示す。各図において、左欄は、信号の時系列のＦＦＴ（Ｆａｓｔ  Ｆｏｕｒｉｅｒ  Ｔｒａｎｓｆｏｒｍ）を示し、中欄の上段は、振幅の時系列を示し、中欄の下段は、位相の時系列を示し、右欄の第１、２段は、振幅の時系列のＦＦＴを、それぞれ広帯域及び狭帯域に渡って示し、右欄の第３、４段は、位相の時系列のＦＦＴを、それぞれ広帯域及び狭帯域に渡って示す。
【００４８】
アンテナ振動がない場合の実際の漏洩信号及び擬似的漏洩信号の信号特性を、それぞれ図５、６に示す。アンテナ振動がある場合の実際の漏洩信号及び擬似的漏洩信号の信号特性を、それぞれ図７、８に示す。受信装置Ｒ１、Ｒ２、・・・に対応する複数のアンテナと、移動体通信網基地局装置Ｂに対応する基地局対応装置を、振動実験室に配置した。実際の漏洩信号は、基地局対応装置の配置場所において実測した。擬似的漏洩信号は、図３、４を用いて上述した処理を用いて生成した。アンテナ振動がある場合には、アンテナ振動の周波数は、５Ｈｚとして、アンテナ振動の振幅は、２０ｍｍとした。
【００４９】
アンテナ振動がない場合には、数式３のＡを−３２ｄＢとして、数式４のＲａｎｄ＿ｎｏｒｍｆ（ｔ）の標準偏差を０．０５として、数式５のＲａｎｄ＿ｎｏｒｍｐ（ｔ）の標準偏差を２００００として、擬似的漏洩信号を実際の漏洩信号と同様な特性に再現できた。
【００５０】
アンテナ振動がある場合には、数式３のＡを−３２ｄＢとして、数式４のＲａｎｄ＿ｎｏｒｍｆ（ｔ）の標準偏差を０．２として、数式５のＲａｎｄ＿ｎｏｒｍｐ（ｔ）の標準偏差を１００００として、擬似的漏洩信号を実際の漏洩信号と同様な特性に再現できた。
【００５１】
このように、中間周波数信号に対して、振幅、遅延、中心周波数、白色ノイズ、周波数変動及び位相ノイズを調整するのみにより、漏洩信号を擬似的に生成することができる。そして、漏洩信号のキャンセル性能の設計段階において、擬似的漏洩信号生成装置４の費用及び場所をより節約しつつ、漏洩信号のキャンセル性能の評価及び漏洩信号のキャンセル品質の確保をより容易にしつつ、漏洩信号を擬似的に生成することができる。
【００５２】
実施形態では、中間周波数信号に対して、振幅、遅延、中心周波数、白色ノイズ、周波数変動及び位相ノイズを調整している。変形例として、中間周波数信号に対して、振幅、遅延、中心周波数、白色ノイズ、周波数変動及び位相ノイズのうち、少なくともいずれか一つの特性を調整してもよく、複数の特性について調整の順序は問わない。
【産業上の利用可能性】
【００５３】
本発明の擬似的漏洩信号生成装置及び漏洩信号キャンセラ装置は、移動体通信網の移動端末から送信された所望信号と、衛星放送信号の受信装置で衛星放送信号が周波数下方変換されて漏洩された、移動体通信網の通信帯域と干渉可能な信号帯域を有する漏洩信号と、の混信を防止する目的で適用することができる。
【符号の説明】
【００５４】
Ｓ：放送衛星
Ｍ：移動体通信網
Ｒ１、Ｒ２：受信装置
Ｕ１、Ｕ２：移動端末
Ｂ：移動体通信網基地局装置
Ｃ：漏洩信号キャンセラ装置
Ｄ：キャンセラ設計装置
１：移動通信受信部
２：信号相関計算部
３：漏洩信号除去部
４：擬似的漏洩信号生成装置
５：衛星放送受信部
４１ａ：中間周波数信号発生部
４１ｂ：中間周波数信号取得部
４２：擬似的漏洩信号生成部
４３：擬似的漏洩信号合成部
４２１：振幅調整部
４２２：遅延調整部
４２３：中心周波数調整部
４２４：白色ノイズ調整部
４２５：周波数変動調整部
４２６：位相ノイズ調整部
４２７：出力ＯＮ／ＯＦＦスイッチ
【図１】
2016046560.tif 000011
【図２】
2016046560.tif 000012
【図３】
2016046560.tif 000013
【図４】
2016046560.tif 000014
【図５】
2016046560.tif 000015
【図６】
2016046560.tif 000016
【図７】
2016046560.tif 000017
【図８】
2016046560.tif 000018